(57)【要約】【課題】ＥＬ発光素子を絶縁性フィルムによってシート状に覆い、ＥＬシート上に弾性体のパッキン部材を設けることで、ＥＬ発光素子の密閉性を高め、ＥＬ発光素子の発光体の劣化防ぐ構造の押釦スイッチカバー部材を提供する。【解決手段】キートップ１２の一部が突出可能な貫通孔２１を有する押釦スイッチ用カバー部材を覆うカバーケース２０を配置し、キートップ１２と弾性シート１１の間にはキートップ１２を照光するためのＥＬ発光部１７を有するＥＬシート１３を配置し、ＥＬシート１３のキートップ１２側表面上にカバーケース２０に接触するように弾性体を設けることで、ＥＬシート１３とカバーケース２０との隙間を密閉する。【選択図】  図１
2005018989.tif 000002
【特許請求の範囲】
【請求項１】
キートップと該キートップの繰り返し押圧操作を可能にするための弾性復元力を有する弾性シートとが一体となっている押釦スイッチ用カバー部材であって、
前記キートップの一部が突出可能な貫通孔を有する前記押釦スイッチ用カバー部材を覆うカバーケースを配置し、
前記キートップと前記弾性シートの間には前記キートップを照光するためのＥＬ発光素子を有するＥＬシートを配置し、
前記ＥＬシートの前記キートップ側表面上に前記カバーケースに接触するように弾性体を設けることで、前記ＥＬシートと前記カバーケースとの隙間を密閉することを特徴とする押釦スイッチ用カバー部材。
【請求項２】
前記弾性体は、前記カバーケースの外周部に沿って接触する弾性体リブであることを特徴とする請求項１に記載の押釦スイッチ用カバー部材。
【請求項３】
前記弾性体は、前記カバーケースの前記貫通孔に沿って接触する弾性体リブであることを特徴とする請求項１に記載の押釦スイッチ用カバー部材。
【請求項４】
前記弾性体は、前記カバーケースの前記外周部及び前記貫通孔の縁に沿って接触する弾性体リブであることを特徴とする請求項１に記載の押釦スイッチ用カバー部材。
【請求項５】
前記弾性体は、前記キートップの取付部位をのぞいた前記ＥＬシートの全面を被うシート状の部材であることを特徴とする請求項１に記載の押釦スイッチ用カバー部材。
【請求項６】
前記ＥＬシートには、前記弾性体リブが嵌合する凹部乃至貫通孔の縁を設けていることを特徴とする請求項２乃至４のいずれか一つに記載の押釦スイッチ用カバー部材。
【請求項７】
前記ＥＬシートには、前記キートップを複数有し、該複数のキートップ同士の間にはスリット乃至切り欠きを設けて前記キートップ同士の連動を防止することを特徴とする請求項１乃至６のいずれか一つに記載の押釦スイッチ用カバー部材。
【発明の詳細な説明】
【０００１】
【発明の属する技術分野】
この発明は、主として携帯電話の入力部である押釦スイッチを構成する押釦スイッチ用カバー部材に関する。
【０００２】
【従来の技術】
従来、携帯電話の押釦スイッチは、ＥＬ（エレクトロ・ルミネッセンス）発光体層をベース電極と透明電極の間に設けたＥＬ発光素子をキートップと弾性シート間に形成し、キートップを照光する押釦スイッチが知られている（例えば、特許文献１を参照。）。
【０００３】
【特許文献１】
特開２００２−３４３５５８号公報  （図２）。
【０００４】
【発明が解決しようとする課題】
前述したように、ＥＬ発光素子をキートップ間に挿入して、押釦スイッチ用カバー部材を製造する場合、キートップとカバーケースの貫通孔から水分等が入ることによりＥＬ発光素子の発光体の劣化がおこり、その結果輝度の減少や寿命の低下が発生するという問題があった。
【０００５】
この発明は、かかる問題点に鑑みてなされたもので、ＥＬ発光素子を絶縁性フィルムによってシート状に被い、ＥＬシート上に弾性体のパッキン部材を設けることで、ＥＬ発光素子の密閉性を高め、ＥＬ発光素子の発光体の劣化を防ぐ構造の押釦スイッチ構造体に使用される押釦スイッチ用カバー部材を提供することを課題としている。
【０００６】
【課題を解決するための手段】
このような課題を達成するために、請求項１に記載の発明は、キートップと該キートップの繰り返し押圧操作を可能にするための弾性復元力を有する弾性シートとが一体となっている押釦スイッチ用カバー部材であって、前記キートップの一部が突出可能な貫通孔の縁を有する前記押釦スイッチ用カバー部材を覆うカバーケースを配置し、前記キートップと前記弾性シートの間には前記キートップを照光するためのＥＬ発光素子を有するＥＬシートを配置し、前記ＥＬシートの前記キートップ側表面上に前記カバーケースに接触するように弾性体を設けることで、前記ＥＬシートと前記カバーケースとの隙間を密閉することを特徴とする。
【０００７】
請求項２に記載の発明は、請求項１に記載の構成に加え、前記弾性体は、前記カバーケースの外周部に沿って接触する弾性体リブであることを特徴とする。
【０００８】
請求項３に記載の発明は、請求項１に記載の構成に加え、前記弾性体は、前記カバーケースの前記貫通孔の縁に沿って接触する弾性体リブであることを特徴とする。
【０００９】
請求項４に記載の発明は、請求項１に記載の構成に加え、前記弾性体は、前記カバーケースの前記外周部及び前記貫通孔の縁に沿って接触する弾性体リブであることを特徴とする。
【００１０】
請求項５に記載の発明は、請求項１に記載の構成に加え、前記弾性体は、前記キートップの取付部位をのぞいた前記ＥＬシートの全面を被うシート状の部材であることを特徴とする。
【００１１】
請求項６に記載の発明は、請求項２乃至４に記載のいずれか一つの構成に加え、前記ＥＬシートには、前記弾性体リブが嵌合する凹部乃至貫通孔を設けていることを特徴とする。
【００１２】
請求項７に記載の発明は、請求項１乃至６に記載のいずれか一つの構成に加え、前記ＥＬシートには、前記キートップを複数有し、該複数のキートップ同士の間にはスリット乃至切り欠きを設けて前記キートップ同士の連動を防止することを特徴とする。
【発明の実施の形態】
以下、この発明の実施の形態について、図１から図７を参照して説明する。
【００１３】
図１は、この発明の実施の形態の押釦スイッチ用カバー部材を示す図で、（ａ）は押釦スイッチ用カバー部材の平面図、（ｂ）は（ａ）の断面図を表している。
【００１４】
この押釦スイッチ用カバー部材１は、弾性シート１１、キートップ１２、及び弾性シート１１とキートップ１２との間のＥＬシート１３で構成され、かつ、弾性体リブ１６は、キートップ１２の一部が突出可能なように貫通孔２１の縁を有するカバーケース２０とＥＬシート１３の隙間を密閉するように構成する。ここで、ＥＬシート１３は、ベースフィルム１５及びＥＬ印刷層１４から構成される。
【００１５】
以下、この発明の実施の形態に係わる押釦スイッチ用カバー部材について説明する。
【００１６】
７５μｍ厚みのＰＥＴフィルム（ルミラー：東レ（株）製）を用いて作製したベースフィルム１５にＰＥＴ用インキ（ＩＰＳ：帝国インキ製造（株）製）によって加飾印刷を施した後、透明導電性ポリマーインキ（ＯｒｇａｃｏｎＰ３０４０：ＡＧＦＡ社製）を使用してスクリーン印刷にて印刷し、１００℃で６０分間乾燥を行った。このベースフィルム１５の所定の位置に配置されたキートップ１２直下に、発光層ならびに誘電層、ベース電極、絶縁層を有するＥＬ発光部１７を形成したＥＬ印刷層１４を形成する。これによってキートップ１２とキートップ１２の繰り返し押圧操作の度に弾性復元力を有する弾性シート１１とが一体となる押釦スイッチ用カバー部材１が作製できる。
【００１７】
次に、ＥＬシート１３のキートップ１２側表面上に弾性体リブ１６としてシリコーン系インク（ＫＥ１８００ＡＢＣ：信越化学工業（株）製）を印刷する。この弾性体リブ１６によって、ＥＬシート１３とカバーケース２０の密閉性を高める押釦スイッチ構造体を作製することができる。これによって、ＥＬ発光部１７の密閉性が向上し防湿機能を備えた押釦スイッチ構造体が得られる。この押釦スイッチ用カバー部材１を用いることにより、弾性体リブ１６がカバーケース２０の裏面に接触するためＥＬシート１３が密閉されるので、防湿性が向上しＥＬ発光部１７を含む内部回路の信頼性が向上する。さらに、この押釦スイッチ用カバー部材１をカバーケース２０と基板（開示せず）間で挾持することにより、キートップ１２押圧時においても防湿性が向上する。
【００１８】
図２は、この発明の別の実施の形態の押釦スイッチ用カバー部材を示す図で、（ａ）は押釦スイッチ用カバー部材の平面図、（ｂ）はその断面図を表している。弾性体リブ１６は、ＥＬシート１３のキートップ１２側表面上にカバーケース２０の外周部に沿って帯状に形成する。この押釦スイッチ用カバー部材２を用いることにより、弾性体リブ１６がカバーケース２０の裏面に接触するためＥＬシート１３が密閉されるので、防湿性が向上しＥＬ発光部１７を含む内部回路の信頼性が向上する。
【００１９】
他の構成及び作用は、図１を用いて述べた実施の形態と同様であるので、同一の構成には同一の符号を付して、その説明を省略する。
【００２０】
図３は、この発明の別の実施の形態の押釦スイッチ用カバー部材を示す図で、（ａ）は押釦スイッチ用カバー部材の平面図、（ｂ）はその断面図を表している。弾性体リブ１６は、ＥＬシート１３の表面上にカバーケース２０の貫通孔２１の縁に沿って形成する。この押釦スイッチ用カバー部材３を用いることにより、弾性体リブ１６がカバーケース２０の裏面に接触するためＥＬシート１３が密閉されるので、防湿性が向上しＥＬ発光部１７を含む内部回路の信頼性が向上する。
【００２１】
他の構成及び作用は、図１を用いて述べた実施の形態と同様であるので、同一の構成には同一の符号を付して、その説明を省略する。
【００２２】
図４は、この発明の別の実施の形態の押釦スイッチ用カバー部材を示す図で、（ａ）は押釦スイッチ用カバー部材の平面図、（ｂ）はその断面図を表している。弾性体リブ１６は、ＥＬシート１３の表面上にカバーケース２０の外周部及び貫通孔２１の縁に沿って形成する。この押釦スイッチ用カバー部材４を用いることにより、弾性体リブ１６がカバーケース２０の裏面に接触するためＥＬシート１３が密閉されるので、防湿性が向上しＥＬ発光部１７を含む内部回路の信頼性が向上する。
【００２３】
他の構成及び作用は、図１を用いて述べた実施の形態と同様であるので、同一の構成には同一の符号を付して、その説明を省略する。
【００２４】
図５は、この発明の別の実施の形態の押釦スイッチ用カバー部材を示す図で、（ａ）は押釦スイッチ用カバー部材の平面図、（ｂ）はその断面図を表している。弾性体１９は、ＥＬシート１３のキートップ１２側表面の全面に形成する。この押釦スイッチ用カバー部材５を用いることにより、弾性体１９がカバーケース２０の裏面の一部に接触するためＥＬシート１３が密閉されるので、防湿性が向上しＥＬ発光部１７を含む内部回路の信頼性が向上する。
【００２５】
他の構成及び作用は、図１乃至図５を用いて述べた実施の形態と同様であるので、同一の構成には同一の符号を付して、その説明を省略する。
【００２６】
弾性体リブ１６又は弾性体１９を設ける方法としては、あらかじめ成形されたシリコーンゴムやエラストマーなどをＥＬシート１３に接着、もしくはあらかじめ窪みのついたＥＬシート１３に嵌合させる方法やシリコーン系インクを印刷やディスペンスする方法やＥＬシート１３と一体成形する方法などが挙げられる。
【００２７】
図６は、この発明の別の実施の形態の押釦スイッチ用カバー部材を示す図で、（ａ）は押釦スイッチ用カバー部材の平面図、（ｂ）はその断面図を表している。弾性体リブ１６は、ＥＬシート１３に嵌合するように形成する。この押釦スイッチ用カバー部材６を用いることにより、弾性体リブ１６がカバーケース２０の裏面に接触するためＥＬシート１３が密閉されるので、防湿性が向上しＥＬ発光部１７を含む内部回路の信頼性が向上する。
【００２８】
他の構成及び作用は、図１乃至図５を用いて述べた実施の形態と同様であるので、同一の構成には同一の符号を付して、その説明を省略する。
【００２９】
図７は、この発明の別の実施の形態の押釦スイッチ用カバー部材を示す図で、（ａ）は押釦スイッチ用カバー部材の平面図、（ｂ）はその断面図を表している。ベースフィルム１５又はＥＬシート１３は、キートップ１２の周囲にスリット又は切り欠き１８を形成する。この押釦スイッチ用カバー部材７を用いることにより、クリック感向上や共動き防止ができる。また、その周囲に弾性体リブ１６又は弾性体１９を設けてあるので、防湿性はスリットや切り欠きによって低下することなく保持される。
【００３０】
他の構成及び作用は、図１乃至図６を用いて述べた実施の形態と同様であるので、同一の構成には同一の符号を付して、その説明を省略する。
【００３１】
【発明の効果】
以上説明したように、請求項１乃至６に記載の発明によれば、この押釦スイッチ用カバー部材を用いることにより、弾性体リブ又は弾性体がカバーケースの裏面に接触するためＥＬシートが密閉されるので、防湿性が向上しＥＬ発光部を含む内部回路の信頼性が向上する。
【００３２】
また、請求項７に記載の発明によれば、クリック感向上や隣り合うキートップの連動防止ができる。また、その周囲に弾性体又は弾性体リブを設けてあるので、防湿性はスリットや切り欠きによって低下することなく保持される。
【図面の簡単な説明】
【図１】この発明の実施の形態に係わる押釦スイッチ用カバー部材を示す図で、（ａ）は押釦用カバー部材の平面図、（ｂ）は（ａ）の断面図を表している。
【図２】この発明の別の実施の形態に係わる押釦スイッチ用カバー部材を示す図で、（ａ）は押釦用カバー部材の平面図、（ｂ）は（ａ）の断面図を表している。
【図３】この発明の別の実施の形態に係わる押釦スイッチ用カバー部材を示す図で、（ａ）は押釦用カバー部材の平面図、（ｂ）は（ａ）の断面図を表している。
【図４】この発明の別の実施の形態に係わる押釦スイッチ用カバー部材を示す図で、（ａ）は押釦用カバー部材の平面図、（ｂ）は（ａ）の断面図を表している。
【図５】この発明の別の実施の形態に係わる押釦スイッチ用カバー部材を示す図で、（ａ）は押釦用カバー部材の平面図、（ｂ）は（ａ）の断面図を表している。
【図６】この発明の別の実施の形態に係わる押釦スイッチ用カバー部材を示す図で、（ａ）は押釦用カバー部材の平面図、（ｂ）は（ａ）の断面図を表している。
【図７】この発明の別の実施の形態に係わる押釦スイッチ用カバー部材を示す図で、（ａ）は押釦用カバー部材の平面図、（ｂ）は（ａ）の断面図を表している。
【符号の説明】
１、２、３、４、５、６、７  押釦スイッチ用カバー部材
１１    弾性シート
１２    キートップ
１３    ＥＬシート
１４    ＥＬ印刷層
１５    ベースフィルム
１６    弾性体リブ
１７    ＥＬ発光部
１８    スリット又は切り欠き
１９    弾性体
２０    カバーケース
２１    貫通孔
【図１】
2005018989.tif 000003
【図２】
2005018989.tif 000004
【図３】
2005018989.tif 000005
【図４】
2005018989.tif 000006
【図５】
2005018989.tif 000007
【図６】
2005018989.tif 000008
【図７】
2005018989.tif 000009